(57)【要約】【課題】  ワイヤレスマウスを充電する充電システムを提供する。【解決手段】  マウス充電システムは、電源（３１０１）と第１接続ポート（３１０２）とを含む電子デバイス（３１０）に適用される。マウス充電システムはマウス（１１０）とレシーバー（２１０）とを含む。マウス（１１０）の充電モジュール（１１０４）が外枠構造体の中に配置され、マウスの第１導電片（１１０２）が外枠構造体上に配置される。レシーバー（２１０）は、第２接続ポート（２１０２）と第２導電片（２１０１）とを含む。第２接続ポート（２１０２）は電気的に電子デバイスの第１接続ポート（３１０２）につながれ、第２接続ポートと電子デバイスの電源との電気的な接続をもたらす。第２導電片（２１０１）は、選択的にマウスの第１導電片（１１０２）と連結される。第１導電片と第２導電片とが連結すると、電子デバイスの電源は、マウスの充電モジュールに充電できる状態になる。【選択図】  図３
2013038987.tif 000002
【特許請求の範囲】
【請求項１】
電源と第１接続ポートとを有する電子デバイスに適用されるマウス充電システムであって、前記マウス充電システムはマウスとレシーバーとを備え、
前記マウスが、
外枠構造体と、
前記外枠構造体内に配置される充電モジュールと、
前記外枠構造体上に配置され、前記充電モジュールに電気的に接続される第１導電片と、を含み、
前記レシーバーが、
前記レシーバーの片端に配置され、前記第１接続ポートに差し込まれて前記電源に電気的に接続される第２接続ポートと、
前記レシーバーの別の端に配置され、選択的にマウスの第１導電片と連結される第２導電片と、を含み、
前記第１導電片と前記第２導電片とが連結され、前記レシーバーを介して、前記電子デバイスの前記電源が前記マウスの前記充電モジュールを充電するマウス充電システム。
【請求項２】
前記充電モジュールは、
前記第１導電片に電気的に接続される処理ユニットと、
前記処理ユニットに電気的に接続される充電回路と、
前記充電回路に電気的に接続される充電式電池と、を含み、
前記マウスは前記電源によって電源供給され、前記電源は、前記処理ユニット及び前記充電回路を介して前記充電式電池を充電する、請求項１に記載のマウス充電システム。
【請求項３】
さらに前記処理ユニットに電気的に接続される警告ランプを含み、前記処理ユニットは、前記警告ランプをトリガするために前記警告ランプに選択的に信号を送り、警告を合図する請求項２に記載のマウス充電システム。
【請求項４】
前記第１導電片と前記第２導電片とは磁気導電片であり、前記第１導電片と前記第２導電片とは磁力によって互いに連結される請求項１に記載のマウス充電システム。
【請求項５】
前記第１導電片及び前記第２導電片は、鉄、ニッケル、コバルト、フェロシリコンまたは磁力導体として使える材料からなる請求項４に記載のマウス充電システム。
【請求項６】
前記第１導電片及び前記第２導電片は、円、正方形、長方形またはいかなる形状である請求項１に記載のマウス充電システム。
【請求項７】
前記マウスは前記電子デバイスとワイヤレスによって通信する請求項１に記載のマウス充電システム。
【発明の詳細な説明】
【技術分野】
【０００１】
本発明は、充電システムに関する。特に電気的に導電片を連結することによって、ワイヤレスマウスを充電する充電システムに関する。
【０００２】
現在、市販のワイヤレスのマウスの大部分は、低電圧又は電力がない状況下では動作しない。ワイヤレスマウスに通電する方法は以下のようなものがある。新しい電池をワイヤレスマウスに付け替える、ユニバーサル・シリアル・バス（ＵＳＢ）を使って電気的にワイヤレスマウスをつなぐ、充電器にワイヤレスマウスを差し込むなどである。そして上記様々な充電方法はワイヤレスマウスを使用可能にする。
【０００３】
ワイヤレスマウスを充電するためワイヤレスマウスを充電器に差し込むと、ワイヤレスマウスを連続的に操作し続けることができる。しかしながら、長い時間使用ではワイヤレスマウスは低電圧又は電力がない状況にさらされる。電池を取り替えることも問題がある。つまり電池は再利用できず、それは、環境と水銀公害問題を地球に引き起こす。
【先行技術文献】
【特許文献】
【０００４】
【特許文献１】台湾特許第２４２７３８号公報
【発明の概要】
【０００５】
充電器でワイヤレスマウスを充電する方法は、電池を取り替えるという問題を改善し、ワイヤレスマウスの電力の技術的問題と環境保護の問題とを解決する。しかしながら、どんな形やサイズの充電器であっても常にスペースを占める。その上、充電器は電気的に接続するためにワイヤを必要とし、その生産は材料費を引き上げる。さらに、反復使用によって充電器は性能を落とす。
【０００６】
ＵＳＢによる電子デバイスとワイヤレスマウスとの電気的な接続方法は、有線マウスの接続と同様である。唯一の違いは、ワイヤレスマウスを完全に充電した後、一旦ＵＳＢが取り除かれると、ワイヤレスマウスが全くコードレスのタイプであるということである。
【０００７】
しかしながら、ワイヤ又は充電器で充電する際には、ユーザがユーザ自身で充電がワイヤ又は充電器を準備しなければならない。時々、ユーザが、ワイヤか充電器を持って行くのを忘れると、その充電器でワイヤレスマウスを充電することができず、ワイヤレスマウスは使用できなくなる。
【０００８】
上記問題点を鑑みて、本発明は、上記問題を解決するマウス充電システムを提供する。その問題は、従来のワイヤレスマウスのために電池の頻繁な交換に関する、環境、経済的利益、および使用スペースの問題であり、また携帯が必要であった接続ワイヤ又は充電器の問題である。
【０００９】
本発明は、電源と第１接続ポートとを含む電子デバイスに適用されるマウス充電システムを開示する。マウス充電システムはマウスとレシーバーとを含む。マウスは外枠構造体、外枠構造体の中に配置される充電モジュール、および外枠構造体上に配置される第１導電片を含む。そして、第１導電片は電気的に充電モジュールに接続される。
【００１０】
レシーバーは、第２接続ポートと第２導電片とを含む。第２接続ポートはレシーバーの片端に配置される、そして、第２接続ポートは電気的に電子デバイスの第１接続ポートにつながれ、第２接続ポートと電子デバイスの電源との電気的な接続をもたらす。第２導電片は、レシーバーの別の端に配置され、そして第２導電片は、選択的にマウスの第１導電片と連結される。
【００１１】
レシーバーの第２導電片とマウスの第１導電片とが連結するとき、電子デバイスの電源によって提供された電気エネルギーは、マウスの第１導電片とレシーバーの第２導電片との間の導通によって、マウスの充電モジュールに伝えられ充電される。
【００１２】
本発明の効果は、電子デバイスの電源がどのようにしてワイヤレスマウスのマウスの充電モジュールを充電するかという点にある。ワイヤレスマウスが低電圧状態又は電力がまったくない状態で、レシーバーの第２接続ポートが電子デバイスの第１接続ポートに差し込まれているとき、ワイヤレスマウスの第１導電片は、レシーバーの第２導電片に電気的接続を形成するために直接付けられる。したがって、本発明の技術によって、ワイヤ又は充電器を持参しなくても、ユーザはワイヤレスマウスを充電できる。
【００１３】
本発明の特性、実現性及び機能は、好ましい実施例と添付図面とを参照することで以下の記述で明らかにされる。
【図面の簡単な説明】
【００１４】
【図１】本発明の一実施例のマウス充電システムの三次元図である。
【図２】本発明の一実施例のマウス充電システムの回路ブロック図である。
【図３】本発明の一実施例のマウス充電システムの分解組立図である。
【図４】本発明の一実施例のマウスの充電状態の立体的な回路図である。
【図５】本発明の一実施例のマウスの充電状態の平面図である。
【図６】本発明の別の実施例のマウスの充電状態の平面図である。
【発明を実施するための形態】
【００１５】
図１は、三次元斜視図であり、図２は回路ブロック図であり、図３は三次元斜視図である。実施例のマウス充電システムは、電子デバイス３１０に適用される。電子デバイス３１０は、電源３１０１と第１接続ポート３１０２とを含む。マウス充電システムはマウス１１０とレシーバー２１０とを含む。
【００１６】
この実施例では、マウス１１０とレシーバー２１０とはワイヤレス通信で移動制御信号を送信する。そして、マウス１１０は、レシーバー２１０を介してワイヤレス接続で信号を受信及び伝達し、電子デバイス３１０のカーソルを操作する。それは電子デバイス３１０を操作するためにカーソルの移動を制御することを意味する。ワイヤレス接続で電子デバイスのオペレーションシステムのウィンドウ内でカーソルの移動を制御することは、知られた技術である、そのため、出願人は本明細書でこの知られている技術の説明を割愛する。
【００１７】
図１及び図２に示されるように、マウス１１０は、外枠構造体１１０１、第１導電片１１０２、警告ランプ１１０３、及び充電モジュール１１０４を含む。充電モジュール１１０４はマウス１１０内に配置される。第１導電片１１０２は外枠構造体１１０１上に配置される。第１導電片１１０２は電気的に充電モジュール１１０４に接続される。
【００１８】
本発明の充電モジュール１１０４は、処理ユニット１１０４１、充電回路１１０４２、および充電式電池１１０４３を含む。処理ユニット１１０４１は、第１導電片１１０２とマウス１１０の警告ランプ１１０３とに電気的に接続される。充電回路１１０４２は電気的に処理ユニット１１０４１に接続される。充電式電池１１０４３は充電回路１１０４２に電気的に接続される。その上、マウス１１０の第１導電片１１０２は電子デバイス３１０の電源３１０１によって電力供給される。そして、電源３１０１は、処理ユニット１１０４１及び充電回路１１０４２を介して、充電式電池１１０４３を充電する。
【００１９】
図１及び図２に示されるように、本発明のレシーバー２１０は、第２導電片２１０１と第２接続ポート２１０２を含む。電子デバイス３１０は、電源３１０１と第１接続ポート３１０２とを含む。レシーバー２１０は、電子デバイス３１０の電源３１０１とレシーバー２１０とを電気的に接続するために、選択的に第２接続ポート２１０２が、電子デバイス３１０の第１接続ポート３１０２に差し込まれる。さらに、レシーバー２１０の別の機能は、ワイヤレスマウスの移動経路を受けることである。しかしながら、これは知られている技術であるので、本実施例では割愛する。
【００２０】
図３は、本発明の実施例のマウス充電システムの分解組立図を示している。本実施例の第１導電片１１０２及び第２導電片２１０１は磁気導電片である。そして、第１導電片１１０２と第２導電片２１０１とは、磁力によって互いに連結される。本実施例では、第１導電片１１０２及び第２導電片２１０１は、鉄、ニッケル、コバルト、フェロシリコンまたは磁力導体として使えるものであればどんな材料であってもよい。さらに、第１導電片１１０２及び第２導電片２１０１は、円、正方形、長方形またはいかなる他の形状も取り得る。本発明では、第１導電片１１０２及び第２導電片２１０１は材料と形状とを特に制限しない。当業者であれば、実際的な設計の要件または使用要件に応じて、第１導電片１１０２及び第２導電片２１０１の材料又は形状を修正することができるであろう。
【００２１】
図３から図５は、分解組立図と充電状態の図を示す。本発明の一実施例では、ユーザが長い間でワイヤレスマウスを使用してワイヤレスマウスの電力が失われている際に、マウス充電システムの処理ユニット１１０４１は、充電式電池１１０４３の電力状態を検出して、選択的に警告ランプ１１０３に信号を送る。したがって、警告ランプ１１０３は、ワイヤレスマウスを充電する必要があることをユーザに示すために、警告信号を送る。
【００２２】
例えば、図２とともに、図３及び図４を参照すると次の通りである。ユーザは、最初に、レシーバー２１０の第２接続ポート２１０２を電子デバイス３１０の第１接続ポート３１０２に差し込ませる。したがって、レシーバー２１０は、通常通り、電子デバイス３１０の電源３１０１に電気的に接続される。次に、マウス１１０の警告ランプ３１１０が低電圧の状態又は電力がない状態の警告を合図すると、マウス１１０の第１導電片１１０２とレシーバー２１０の第２導電片２１０１とが、磁力によって連結される。このときに、電子デバイス３１０の電源３１０１の電気エネルギーは、第１接続ポート３１０２から、レシーバー２１０の第２接続ポート２１０２及び第２導電片２１０１を経由して、マウス１１０の第１導電片１１０２まで通じる。そして、マウス１１０の充電モジュール１１０４内の処理ユニット１１０４１及び充電回路１１０４２を経由して充電式電池１１０４３を充電する。
【００２３】
電力が完全に充電した状態に達するとき、マウス１１０の警告ランプ１１０３は、ユーザのために完全に充電している状態に関する警告を合図する。ユーザは、レシーバー２１０とマウス１１０とを切り離して、ワイヤレスマウスを使用し続けることができる。
【００２４】
図５は、本実施例のマウス１１０の充電状態を示す平面図である。図５は、警告ランプ１１０３が低電圧状態又は電力がない状態に関する警告を合図した際、充電のために、レシーバー２１０が電子デバイス３１０に差し込まれ、マウス１１０がレシーバー２１０に電気的に接続されることを、明確に図示している。この実施例では、警告ランプ１１０３は、低電圧状態又は電力がない状態を合図するために、明るい色、例えば赤い点滅な放射するようにトリガされ、完全に充電した状態を合図するために緑色の点灯光を放射するようにトリガされる。しかしながら、本発明は、警告ランプ１００３の数又は色彩をこれらに限定しない。実際的な設計又は用途に応じて、当業者は、警告ランプ１１０３の数と色彩を適宜修正することができる。
【００２５】
図６は、本発明の別の実施例のマウス１１０を充電する状態の平面図である。この実施例では、いかなる警告ランプ１１０３もマウス１１０に配置されていない。一般に、ユーザは、ワイヤレスマウスを使用する前に、電子デバイス３１０にレシーバー２１０を差し込む必要がある。ユーザは、ワイヤレスマウスを動かしているにもかかわらず、ウィンドウ内でカーソルの動きがゆっくりになっていること又は非応答であることに気が付く。そこのことはワイヤレスマウス１１０が低電圧状態又は電力がない状態であることを意味する。したがって、ユーザは、レシーバー２１０を通してマウス１１０を充電するために、レシーバー２１０にマウスを電気的に接続してその状態を保つ。
【００２６】
上述したように、本発明で明らかにされたマウス充電システム技術は、ワイヤレスマウスを充電するために、ユーザにいかなるワイヤ又は充電器も持参させる必要がない。
【００２７】
本件では好ましい実施例を説明した。これは本発明の請求の範囲が実施例を限定される意図でない。そのうえ、ここで開示された内容は容易に理解されるべきであり、当業者によって実行できるものである。すべての同等変更や修正は、請求の範囲から逸脱しない範囲で、請求の範囲に含まれるべきである。
【図１】
2013038987.tif 000003
【図２】
2013038987.tif 000004
【図３】
2013038987.tif 000005
【図４】
2013038987.tif 000006
【図５】
2013038987.tif 000007
【図６】
2013038987.tif 000008